(57)【特許請求の範囲】
【請求項１】
ノズル型番情報とノズル仕様情報とが対応付けられて登録されたデータベースと、当該データベースからノズル型番情報を検索可能に構成されるサーバとを備えるノズルカタログ検索システムであって、
前記ノズル仕様情報には、少なくとも、カタログに表示されるパラメータとこのパラメータに対応したノズル特性値とが含まれるように構成され、
前記カタログに表示されるパラメータとノズル特性値の値は連続的でなく、飛び飛びの値であって、前記パラメータと前記ノズル特性値との関係をグラフ表示させるために、前記飛び飛びの値を補間する関数式で構成されるグラフ化データを前記データベースに保存し、
前記サーバは、
当該システムとネットワークを介して接続される外部コンピュータから、ノズルの検索条件として前記パラメータや前記ノズル特性値が入力された場合に、前記関数式で構成されるグラフ化データに基づいて、入力された検索条件に合致するまたはほぼ合致するノズル型番情報を前記データベースから抽出するノズル情報検索手段と、
前記ノズル情報検索手段で検索されたノズル型番情報を表示する場合に、入力された検索条件ではなく、カタログに表示されているパラメータとこのパラメータに対応したノズル特性値を表示する表示手段と
を備えたことを特徴とするノズルカタログ検索システム。
【請求項２】
入力された前記パラメータやノズル特性値の単位をカタログ表示の単位に換算する単位換算手段を備えたことを特徴とする請求項１に記載のノズルカタログ検索システム。
【請求項３】
前記グラフ化データに基づいてコンピュータ画面にグラフを表示させた場合において、当該グラフ上の座標の指示入力に基づいて、この指示座標に対応するパラメータ及びノズル特性値を演算するグラフ値演算手段を備え、演算された数値を前記コンピュータ画面に表示可能に構成したことを特徴とする請求項１又２に記載のノズルカタログ検索システム。
【請求項４】
前記座標の指示入力は、コンピュータ画面上のポインタにより入力されるものであることを特徴とする請求項３に記載のノズルカタログ検索システム。
【請求項５】
前記ノズル検索条件には、流体圧力、流量、噴霧角度が含まれることを特徴とする請求項１〜４のいずれか１項に記載のノズルカタログ検索システム。
【請求項６】
インターネット上におかれるサーバーシステムにより構成されることを特徴とする請求項１〜５のいずれか１項に記載のノズルカタログ検索システム。
【請求項７】
ノズル型番情報とノズル仕様情報とが対応付けられて登録されたデータベースであって、前記ノズル仕様情報には、少なくとも、カタログに表示されるパラメータとこのパラメータに対応したノズル特性値とが含まれ、前記カタログに表示されるパラメータとノズル特性値の値は連続的でなく、飛び飛びの値であって、かつ、前記パラメータと前記ノズル特性値との関係をグラフ表示させるために、前記飛び飛びの値を補間する関数式で構成されるグラフ化データが保存されたデータベースを検索するためのノズルカタログ検索プログラムであって、
コンピュータに、
ノズルの検索条件として前記パラメータや前記ノズル特性値が入力された場合に、前記グラフ化データに基づいて、入力された検索条件に合致するまたはほぼ合致するノズル型番情報を前記データベースから抽出する処理ステップと、
前記処理ステップで検索されたノズル型番情報を表示する場合に、入力された検索条件ではなく、カタログに表示されているパラメータとこのパラメータに対応したノズル特性値を表示する処理ステップとを実行させるためのノズルカタログ検索プログラム。
【請求項８】
入力された前記パラメータやノズル特性値の単位をカタログ表示の単位に換算する処理ステップを、さらに実行させることを特徴とする請求項７に記載のノズルカタログ検索プログラム。
【発明の詳細な説明】
【０００１】
【発明の属する技術分野】
本発明は、通信ネットワーク等を利用してノズルカタログ情報を検索するためのノズルカタログ検索システムに関する。
【０００２】
【従来の技術】
高圧水等の流体を噴出する場合に用いるノズルを入手したいユーザーは、ノズルメーカー数社のノズルカタログの中から、自分の仕様に合致したノズル情報を手作業で探している。
【０００３】
【発明が解決しようとする課題】
しかしながら、数社分のカタログとはいえ、希望するノズルを探し出すまでに２〜４時間程度の時間を要している。ユーザーの希望するノズルが見つからない場合は、更に別のノズルメーカーのカタログを調べることになるが、世界中にはノズルメーカーが３０社以上もあり、これをくまなく調べることは大変な労力を要する。
【０００４】
そこで、各社のノズルカタログに記載されたノズルカタログ情報をコンピュータに入力してデータベース化し、例えば、ユーザーの要望する水圧（パラメータに相当）に対する水量（パラメータに対応したノズル特性値に相当）の値を検索条件として入力して検索するという方法が考えられる。
【０００５】
しかしながら、ノズルカタログに記載されるパラメータは、ある特定の数値についてのみ記載されているものである。例えば、水圧と水量の関係を例にあげてみると、水圧が１０ｂａｒ、２０ｂａｒの場合における水量のデータがカタログデータとして記載されているとする。この場合、検索条件として、水圧が１５ｂａｒの時の水量値を入力したとしても、そのメーカーのカタログに、１５ｂａｒにおけるデータが記載されていなければ、検索できないことになる。また、カタログに記載されるパラメータの値も、メーカーによりまちまちであり、統一されたものではない。
【０００６】
このように、カタログ記載のパラメータの中間値が検索条件として入力された場合に、ユーザーの希望する特性を有するノズルが実際にはあるにもかかわらず、検索できないという問題が生じる。
【０００７】
本発明は上記実情に鑑みてなされたものであり、その課題は、各社のノズルカタログ情報をデータベース化してノズルを検索するにあたり、検索条件として、カタログに記載されていない数値(中間値)をパラメータとして入力したとしても、該当するノズル情報を検索することができるノズルカタログ検索システム及び検索プログラムを提供することである。
【課題を解決するための手段】
上記課題を解決するため本発明に係るノズルカタログ検索システムは、ノズル型番情報とノズル仕様情報とが対応付けられて登録されたデータベースと、当該データベースからノズル型番情報を検索可能に構成されるサーバとを備えるノズルカタログ検索システムであって、
前記ノズル仕様情報には、少なくとも、カタログに表示されるパラメータとこのパラメータに対応したノズル特性値とが含まれるように構成され、
前記カタログに表示されるパラメータとノズル特性値の値は連続的でなく、飛び飛びの値であって、前記パラメータと前記ノズル特性値との関係をグラフ表示させるために、前記飛び飛びの値を補間する関数式で構成されるグラフ化データを前記データベースに保存し、
前記サーバは、
当該サーバとネットワークを介して接続される外部コンピュータから、ノズルの検索条件として前記パラメータや前記ノズル特性値が入力された場合に、前記関数式で構成されるグラフ化データに基づいて、入力された検索条件に合致するまたはほぼ合致するノズル型番情報を前記データベースから抽出するノズル情報検索手段と、
前記ノズル情報検索手段で検索されたノズル型番情報を表示する場合に、入力された検索条件ではなく、カタログに表示されているパラメータとこのパラメータに対応したノズル特性値を表示する表示手段とを備えたことを特徴とするものである。
【０００８】
この構成によるノズルカタログ検索システムの作用・効果は、以下の通りである。すなわち、ノズルカタログ検索システムは、ノズル型番情報とノズル仕様情報とが対応付けられて登録されたデータベースと、当該データベースからノズル型番情報を検索可能に構成されるサーバとを備えている。各社のノズルカタログの情報がデータベース化され、ノズル型番情報とノズル仕様情報とが対応付けられて、システムのデータベースに登録される。このノズル仕様情報には、パラメータとパラメータに対応したノズル特性値が含まれる。また、このパラメータとノズル特性値の関係をグラフ表示させるためのグラフ化データも併せて登録される。ところで、カタログに表示されるパラメータとノズル特性値の値は連続的でなく、飛び飛びの値である。パラメータとノズル特性値との関係をグラフ表示させるために、飛び飛びの値を補間する関数式でグラフ化データは構成される。このグラフ化データは、カタログにグラフが載せられていない場合でも、データを作成して、データベース化する。
【０００９】
そして、サーバとネットワークを介して接続される外部コンピュータから、ノズル検索条件として、ユーザーがパラメータやノズル特性値を入力した場合、関数式で構成されるグラフ化データに基づいて検索が実行される。関数式で構成されるグラフ化データに基づくので、入力したパラメータが中間値であったとしても、そのパラメータに対するノズル特性値を検索することができる。また、関数式で構成されるグラフ化データに基づいて、入力された検索条件に合致するまたはほぼ合致するノズル型番情報をデータベースから抽出することができる。さらに、ノズル情報検索手段で検索されたノズル型番情報を表示する場合に、入力された検索条件ではなく、カタログに表示されているパラメータとこのパラメータに対応したノズル特性値を表示するように構成されている。その結果、各社のノズルカタログ情報をデータベース化してノズルを検索するにあたり、検索条件として、カタログに記載されていない数値をパラメータとして入力したとしても、該当するノズル情報を検索することができるノズルカタログ検索システムを提供することができた。本発明の好適な実施形態として、入力された前記パラメータやノズル特性値の単位をカタログ表示の単位に換算する単位換算手段を備えたものがあげられる。
【００１０】
カタログに表示されるパラメータやノズル特性値の単位は、メーカーによって異なる。例えば、水圧の単位でもｂａｒで表示されていたり、Ｐａｓｃａｌで表示されていたりする。そこで、ユーザーの入力した単位がカタログ記載の単位と異なる場合は、これをカタログ表示の単位に換算するようにする。これにより、ユーザーは自分の理解しやすい単位を入力することができ、これにより、単位が異なっていたとしても、検索をすることが可能となる。
【００１１】
本発明の別の好適な実施形態として、前記グラフ化データに基づいてコンピュータ画面にグラフを表示させた場合において、当該グラフ上の座標の指示入力に基づいて、この指示座標に対応するパラメータ及びノズル特性値を演算するグラフ値演算手段を備え、演算された数値を前記コンピュータ画面に表示可能に構成したものがあげられる。
【００１２】
グラフ化データに基づいて、コンピュータ画面に当該グラフを表示させることができる。このグラフ上の座標を指示入力することができる。これにより、指示座標に対応するパラメータとノズル特性値を演算して、表示させることができる。例えば、ユーザーが検索条件として中間値を入力した場合、このグラフに基づいて、実際に数値を確認することができる。また、パラメータを変更した場合の、これに対応するノズル特性値も容易に確認することができる。
【００１３】
本発明の更に別の好適な実施形態として、前記座標の指示入力は、コンピュータ画面上のポインタにより入力されるものがあげられる。
【００１４】
ポインタは、ポインティングデバイス、例えば、マウスにより指示入力される。これにより、簡単に指示入力を行うことができる。
【００１５】
本発明の更に別の好適な実施形態として、前記ノズル検索条件には、流体圧力、流量、噴霧角度が含まれるものがあげられる。検索条件としては、これらをパラメータ、ノズル特性値とすることで、ユーザーが要望する特性を有するノズルのノズル型番情報を容易に検索することができる。
【００１６】
本発明に係るノズルカタログ検索システムは、好ましくは、インターネット上におかれるサーバーシステムにより構成される。これにより、全世界のノズルユーザーがノズルカタログを検索できるようになる。
【００１７】
上記課題を解決するため本発明に係るノズルカタログ検索プログラムは、ノズル型番情報とノズル仕様情報とが対応付けられて登録されたデータベースであって、前記ノズル仕様情報には、少なくとも、カタログに表示されるパラメータとこのパラメータに対応したノズル特性値とが含まれ、前記カタログに表示されるパラメータとノズル特性値の値は連続的でなく、飛び飛びの値であって、かつ、前記パラメータと前記ノズル特性値との関係をグラフ表示させるために、前記飛び飛びの値を補間する関数式で構成されるグラフ化データが保存されたデータベースを検索するためのノズルカタログ検索プログラムであって、
コンピュータに、
ノズルの検索条件として前記パラメータや前記ノズル特性値が入力された場合に、前記グラフ化データに基づいて、入力された検索条件に該当するノズル型番情報を前記データベースから抽出する処理ステップと、
前記処理ステップで検索されたノズル型番情報を表示する場合に、入力された検索条件ではなく、カタログに表示されているパラメータとこのパラメータに対応したノズル特性値を表示する処理ステップとを実行させるためのプログラムである。
【００１８】
かかるプログラムをコンピュータにインストールすることにより、ノズルカタログ検索システムを構築することができる。このプログラムによる作用・効果は、既に述べた通りである。
【００１９】
【発明の実施の形態】
本発明に係るノズルカタログ検索システムの好適な実施形態を図面を用いて説明する。
【００２０】
＜システム全体の構成＞
このシステムは、データベースに構築されたノズル情報を提供する総合ノズルコンサルタントＣ（以下、コンサルタントと略す。）の管理するサーバーシステム２と、ユーザーＡのパソコン１（コンピュータの１例である。）とが通信ネットワークＢにより接続されている。パソコン１には、インターネットに接続してホームページを閲覧するためのブラウザがインストールされている。サーバーシステム２は、いわゆるＷｅｂサーバを中核として構成されるものであり、データベースを構築することで、必要な情報をユーザーに提供するものであり、そのために必要なアプリケーション・ソフトがインストールされている。通信ネットワークＢは、インターネットであるが、本システムを構成するためには、イントラネットのような閉じたネットワークであってもよい。また、ネットワークの形態が有線であるか無線であるかにより限定されるものではない。
【００２１】
また、ノズルメーカーＤとも接続されており、コンサルタントＣとの間で必要な情報のやり取り（例えば、ユーザーから引き合いがあった場合など) を行う。なお、コンサルタントＣは、データベース２０によるノズル情報検索サービス以外の事業も行っているが詳細は省略する。
【００２２】
サーバーシステム２は、データベース２０を有している。このデータベース２０には、世界中のノズルメーカーのカタログのデータが登録されている。具体的には、ノズル仕様情報とノズル型番情報とが対応付けられて登録されている。各ノズルメーカーの製造するノズルの型番情報と、その型番に対する圧力、流量、噴射角、噴射パターン、材質等の仕様情報が登録される。したがって、例えば、ユーザーがある噴射角を有するノズルを要望する場合は、その噴射角の数値をキーワードとしてデータベース２０を検索することができる。また、データベース２０には各社のカタログ画像データ２１も入力されており、あるメーカーの型番が指定された場合には、その型番のノズルが掲載されているカタログの該当するページを検索することができるようになっている。これにより、ユーザーはこのデータベース２０を利用することで、世界のノズルメーカーのカタログ情報を任意に取得することができる。
【００２３】
＜サーバーシステムの構成＞
次にサーバーシステム２ (ノズルカタログ検索システム) の構成を図２の機能ブロック図により説明する。送受信部２２は、インターネットを介してユーザー等とデータ通信を行う機能を有する。送受信部２２は、サーバーシステム２を構成するコンピュータにインストールされるプログラム（ＯＳ等）や通信インターフェースにより構成することができる。ＨＴＭＬ処理部２３は、サーバーシステム２にアクセスしてきたユーザーのパソコン１に、Ｗｅｂページデータ（ＨＴＭＬファイル）を送受信部２２を介して送信させる。また、ユーザーのパソコン１から送信されてきたデータを処理・解析し、外部プログラム（ＣＧＩプログラム）を起動させたり、データベース２０の検索を行う処理をデータベース制御部２４（ノズル情報検索手段に相当する。) に指令させたりする。また、データベース２０の検索結果や、外部プログラムによる処理結果をユーザーのパソコン１に表示させるためのＨＴＭＬデータを生成する。
【００２４】
ＨＴＭＬファイル保存部２７には、ホームページ（Ｗｅｂページ）をユーザーのパソコン１の画面に表示させるためのＨＴＭＬデータファイルが多数格納されている。
【００２５】
データベース２０には、世界各社のノズルメーカーのカタログ情報が格納されている。データベース２０には、ノズル型番情報とノズル仕様情報とが対応付けられて格納されている。ノズル仕様情報としては、ノズルの特性を表わすデータが登録されており、例えば、水圧（流体圧）とその水圧に対応した水量（流量）、あるいは、水圧とその水圧に対応したスプレー角度、等価オリフィス直径等が登録されている。よって、水圧とそれに対応した水量を検索条件として入力することで、条件に該当するノズルの型番情報を抽出することが可能である。また、水圧と水量の関係等については、単なる数値データだけではなく、これをユーザーのパソコン１の画面にグラフとして表示させるためのグラフ化データも併せて登録されている。この点については後述する。
【００２６】
また、外部プログラムとして、種々のプログラムが格納されている。このプログラムは、ＣＧＩと呼ばれる機能に基づいて作動する。図２には、グラフ値演算手段２５と単位換算手段２６として機能するプログラムが例示されている。プログラムの演算結果は、ＨＴＭＬ処理部２３により処理されＨＴＭＬファイルの形態でユーザーに返信される。
【００２７】
＜カタログ構成例＞
次に、ノズルカタログの構成例を図３により説明する。これは、ノズルメーカーのカタログ構成例の一部を示す。ここには、各水圧ごとの水量とスプレー角度ンが示されている。ここに示される数値データは、データベース２０に登録されているものである。例えば、ノズル型番が「１０」の製品の場合、水圧０．３ｂａｒで水量１．２（Ｌ／ｍｉｎ）、水圧１ｂａｒで水量２．３（Ｌ／ｍｉｎ）・・・のような特性が示されている。また同様に水圧に対するスプレー角度が示されている。ここで、水圧がパラメータに相当し、水量やスプレー角度は、そのパラメータに対応するノズル特性値に相当する。
【００２８】
図４は、データベースに登録されるグラフ化データを示す図である。図３のカタログのうち、型番が０１，１０，１００のノズルについてグラフを示している。図３に表示されている数値（プロット点）を黒丸と黒四角で示している。このグラフで横軸は水圧Ｐｗ（ｂａｒ）で、縦軸は水量Ｑｗ（Ｌ／ｍｉｎ）及びスプレー角度（゜）である。ここで、水圧はパラメータに相当し、水圧とスプレー角度はパラメータに対応したノズル特性値に相当する。図４に示されるグラフは、パソコン画面に表示される場合のグラフ表示例を示す。このようなグラフ化データをデータベース２０に登録しておく理由は次の通りである。
【００２９】
図３のカタログ構成例にも示すように、カタログに示されるパラメータとノズル特性値の値は連続的ではなく、飛び飛びとなっている。すなわち、 パラメータとしては区切りの良い数値しか使用していない。例えば、水圧が１０ｂａｒと２０ｂａｒの時の水量はカタログ表示されているが、その中間値 (例えば、１５ｂａｒ）の水圧に関する水量データはカタログ表示されていない。したがって、そのような中間値を検索条件として指定された場合が問題になる。
【００３０】
図５は、パソコン画面においてノズル検索を行う場合の検索画面の構成例を示す図である。ここには、左側に検索項目、右側に入力欄が設けられている。入力欄のうち、数値と単位の両方を入力する必要があるものについては、数値入力欄と単位入力欄とが設けられている。入力は、直接キー入力により行うものや、あらかじめ入力設定しておいた数値をプルダウン形式で選択入力させるものなど適宜の入力方式を採用することができる。検索条件として入力する場合は、すべての項目を入力する必要はなく、少なくとも、１つを入力すれば検索することができる。
【００３１】
そこで、水圧をパラメータとし、水量をノズル特性値として入力する場合について説明する。水圧の欄に入力する場合は、数値を入力するが、入力された数値がカタログに記載されていない数値（これを中間値と称する）である場合がある。例えば、先ほどの例だと、水圧Ｐｗ＝１５ｂａｒ：水量Ｑｗ＝９Ｌ／ｍｉｎを検索条件として入力した場合、Ｐｗ＝１５ｂａｒにおけるデータはカタログに記載されていない。したがって、検索条件に合致する（又は、検索条件に近い）ノズルが実際に存在するにもかかわらず検索できないという自体が生じる。
【００３２】
一方、ノズルを検索するユーザーの立場から見ると、世界各国のノズルメーカーがパラメータとしてどのような数値を採用しているかをあらかじめ知っておくことは、事実上不可能である。したがって、ユーザーの入力する数値が、あるメーカーにとっては中間値であったりそうでなかったりすることが考えられる。中間値を入力してしまったがために、検索ができないのでは、検索システムとして満足のいくサービスをユーザーに提供することはできない。そこで、本検索システムでは、中間値を入力したとしても、ノズルカタログを検索できるような構成を採用している。
【００３３】
すなわち、 上記の例で水圧Ｐｗ＝１５（中間値）を入力した場合は、データベース２０に格納されたグラフ化データから、入力された検索条件（Ｐｗ＝１５ｂａｒ：Ｑｗ＝９Ｌ／ｍｉｎ）に合致したもの、あるいは、近いものを抽出する。グラフ化データは、例えば、関数式等に構成されるので、中間値が入力されたとしても検索することが可能である。例えば、図４の例では、型番１０のノズルは、Ｐｗ＝１５ｂａｒのときに、Ｑｗ＝８．７であり、検索条件にほぼ合致するので検索により抽出される。
【００３４】
なお、上記のように検索された場合、検索結果としてコンピュータ画面に表示させるのは、入力した中間値のデータではなく、あくまでもカタログ記載値を表示させる。つまり、Ｐｗ＝１０かＰｗ＝２０の時のデータを表示させる。これは、カタログに記載されていない数値を、あたかもカタログに記載されている数値であるかのごとく検索結果として表示させるのは、好ましくないと考えられるからである。
【００３５】
検索結果としては、該当するメーカー名、そのメーカーの型番も併せて表示する。該当するメーカー名や型番が複数あれば複数表示する。このような検索結果は、一覧リストの形態でパソコン画面に表示させる。
【００３６】
さて、検索条件として中間値を入力した場合は、上記のように、表示するのはあくまでカタログ記載値である。つまり、上記例だとＰｗ＝１０かＰｗ＝２０の時のデータ（水量Ｑｗの値）が表示されるので、ユーザーは、Ｐｗ＝１５の時の水量の値を換算する必要がある。ノズルの特性をよく理解しているユーザーであれば、水量は水圧の平方根に比例することが分かっているので、Ｐｗ＝１５の場合に水量がどの程度になるかを頭で計算することができる。
【００３７】
しかしながら、そのような知識をもたないユーザーにとっては、Ｐｗ＝１５の場合にどの程度の水量になるかを簡単に知ることはできない。そこで、検索された型番のノズルについて、グラフ化データを利用して、ユーザーのコンピュータ画面にグラフ（図４参照）を表示させる。これにより、ユーザーは中間値において、どのようなノズル特性値を有するのかを視覚的に認識することができる。以上、ノズル特性値が水量の場合を説明したが、スプレー角度の場合も同様である。
【００３８】
さらに、コンピュータ画面において、グラフ上の座標を指示入力することで、その座標における、パラメータとノズル特性値を演算して表示することができる。図４（ｂ）の例で説明すると、ポインティングデバイスの１例であるマウスのポインタにより指示入力することができる。すなわち、 マウスを利用して、画面上に表示されている、「矢印（ポインタ）」をグラフ上に置くことにより、その座標での値を表示させる。図４では（Ｐｗ＝１５：Ｑｗ＝８．７）が表示されている。これにより、中間値の場合のノズル特性値を簡単に知ることができる。なお、これはサーバーに設けられたグラフ値演算手段２５の機能に基づくものである。つまり、マウスで画面上の座標を指定する（クリックする）ことで、その情報がサーバーシステム２に送信される。サーバーシステム２では、ＣＧＩの機能に基づき、座標値を演算し、演算した結果をユーザー１のパソコンに返信し、ユーザーのパソコン画面に表示させる。なお、ポインティングデバイスとしては、マウスでなくてもよく、トラックボールやジョイスティックでもよい。
【００３９】
なお、その他の方法として、グラフ表示したりグラフ値を演算するためのプログラムをユーザーがサーバーシステム２からダウンロードできるように構成してもよい。かかるプログラムは、例えばＪａｖａ(登録商標）により記述することができ、ユーザーのパソコンにインストールされているブラウザにより実行させることができる。すなわち、 グラフ上の座標の値を演算して表示させる方式は、特定の方法に限定されるものではない。
【００４０】
また、グラフ化するにあたり、ノズルメーカーのカタログにグラフが掲載されていない場合は、カタログに記載された数値に基づいて、グラフ化データを作成してデータベースに登録する。また、カタログにグラフが掲載されている場合であっても、中間値による検索ができるようにデータを作成する。
【００４１】
次にサーバーシステム２の単位換算手段２６の機能について説明する。これは、図５の検索画面で検索条件を入力するときに、ユーザーは単位を選択することができる。しかし、ユーザーの選択した単位がメーカーのカタログに表示されている単位と同じとは限らない。また、同じパラメータ又はノズル特性値であったとしても、ノズルメーカーによって使用している単位が異なることもある。例えば、水圧の単位は、ｂａｒであったりＰａｓｃａｌであったりする。したがって、検索を確実に行うためには単位の換算が必要である。そこで、サーバーシステム２には、単位換算を行うためのプログラムを格納しており、単位換算ができるように構成している。単位換算は、考えられるすべての単位に換算するようにすることが好ましい。これにより、すべてのノズルメーカーのカタログ記載に対応することができる。なお、単位換算した場合でも、パソコン画面に表示させるのはカタログ記載値を表示させるようにすることが好ましい。
【００４２】
＜ユーザーによる検索手順＞
次に、以上説明してきたノズルカタログ検索システムを利用してノズルを検索する場合の手順を図６のフローチャートにより説明する。
【００４３】
まず、ノズルの検索をしたいユーザーは、自分のパソコン１を起動しブラウザを立ち上げる（＃１）。次に、サーバーシステム２（ノズルカタログ検索システム）にアクセスする（＃２）。すなわち、 ノズルコンサルタントのホームページ（Ｗｅｂページ）を開く。次に、ノズルを検索するための検索画面に移行する（＃３）。この検索画面は図５に示した通りである。
【００４４】
次に、検索画面において、検索条件を入力する（＃４）。必要項目を入力が終わると、検索ボタンをクリックする。これにより、検索条件のデータがパソコン１からサーバーシステム２に送信される。サーバーシステム２では、検索条件データを受信すると、そのデータの内容を解析する。そして、必要に応じて単位換算処理を行い、データベース２０を検索する。検索結果は、ＨＴＭＬ処理部２３にて作成されたＨＴＭＬファイルとして、パソコン１に返信される（＃５）。そして、検索結果をパソコン１の画面に表示させる。パソコン画面には、検索結果がリストとして表示される。リストには、例えば、メーカー名とノズル型番情報とが表示される。また、検索した結果、該当するものがデータベース２０から抽出されなかった場合は、その旨が検索結果として表示される。
【００４５】
検索結果のリストの中のノズル型番情報の部分をクリックすることで、その型番のノズルの詳細を画面で見ることができる。これが、入力したパラメータとノズル特性値との関係を示す表であったり、グラフであったりする。また、グラフは、プリンタにより印刷することもできる。
【００４６】
ユーザーは、自分の要望する特性を有するノズルが見つかった場合は、そのノズルメーカーに対して見積りを依頼する。その場合の以後の手順については、省略する。
【００４７】
＜別実施形態＞
（１）本発明の検索システムにおいて、サーバーシステムをサーバー装置を１台で構成するか複数台で構成するかは適宜選択できるものである。複数台で構成して機能を分散することにより、各サーバー装置の負担を軽減することができる。例えば、Ｗｅｂサーバ、データベース・サーバーのように分散することができる。
【００４８】
（２）本実施形態では、パラメータとして水圧を、ノズル特性値として水量とスプレー角度を例としてあげているが、これに限定されるものではなく、パラメータとノズル特性値は任意のものを選択することができる。
【図面の簡単な説明】
【図１】本発明に係るノズルカタログ検索システムの構成を示す概念図
【図２】サーバーシステムの構成を示す機能ブロック図
【図３】  ノズルカタログの構成例を示す図
【図４】  ノズルカタログのパラメータとノズル特性値の関係をグラフ化した図
【図５】  ノズルカタログ検索画面の構成例を示す図
【図６】ノズル検索を行う場合の手順を示すフローチャート
【符号の説明】
１      パソコン
２      サーバーシステム
２０    データベース
２３    ＨＴＭＬ処理部
２４    データベース
【図１】
0003949991.tif 000002
【図２】
0003949991.tif 000003
【図３】
0003949991.tif 000004
【図４】
0003949991.tif 000005
【図５】
0003949991.tif 000006
【図６】
0003949991.tif 000007